(57)【要約】【課題】配管カバーの長所を維持できながら、建物の内外の美観性を向上できるようにする。【解決手段】配管収納空間Ｖを備えた溝形状の配管カバー本体９と、配管カバー本体９の溝開口部を塞ぐ蓋部材１０とを、係合連結可能に形成して配管カバー１を構成し、蓋部材１０の外面１０ｂが壁面Ｗ１ｂを構成する状態で、配管カバー１を壁Ｗに埋設してある。【選択図】図５
2013164154.tif 000002
【特許請求の範囲】
【請求項１】
配管収納空間を備えた溝形状の配管カバー本体と、前記配管カバー本体の溝開口部を塞ぐ蓋部材とを、係合連結可能に形成して配管カバーを構成し、前記蓋部材の外面が壁面を構成する状態で、前記配管カバーを壁に埋設してある配管カバー設置構造。
【請求項２】
前記壁の中での前記配管カバーの埋設深さを調整可能な埋設深さ調整手段が設けてある請求項１に記載の配管カバー設置構造。
【請求項３】
前記蓋部材の外面が、前記壁の表面と面一、又はほぼ面一となるように前記蓋部材を配置可能な表面合わせ手段が設けてある請求項１に記載の配管カバー設置構造。
【請求項４】
請求項１〜３のいずれか一項に記載の配管カバー設置構造に用いる配管カバーであって、
空調配管収容空間を備えた溝形状の配管カバー本体と、前記配管カバー本体の溝開口部を塞ぐ蓋部材とを係合連結可能に備えた壁部配管カバーを設け、
前記壁部配管カバーの長手方向の一端部に、空調配管を前記空調配管収容空間から室内側へ導入する部分を覆う導入部配管カバーを設け、
前記壁部配管カバーの長手方向の他端部に、前記空調配管を前記空調配管収容空間から室外側へ導出する部分を覆う導出部配管カバーを設けてある配管カバー。
【請求項５】
前記導出部配管カバーは、室内側に開口する開口部を備えていると共に、前記開口部を塞ぐ導出部蓋部材を、着脱可能に設けてある請求項４に記載の配管カバー。
【発明の詳細な説明】
【技術分野】
【０００１】
本発明は、配管収納空間を備えた溝形状の配管カバー本体と、前記配管カバー本体の溝開口部を塞ぐ蓋部材とを、係合連結可能に形成して配管カバーを構成し、その配管カバーを壁面に沿って配置してある配管カバー技術に関する。
【背景技術】
【０００２】
配管カバーには、配管の周りを覆うことで、外的要因（温度、湿度、外圧、紫外線）からの配管の保護を図ると共に、配管の姿勢を維持でき、更に、配管を隠して美観性を向上させる等の長所があり、従来、この種の配管カバー技術としては、空調配管の配管カバーを例に挙げて説明すると、空調配管が壁を貫通して室外側に導出される導出部から、空調用室外機が設置された下方側の部分まで、配管カバーを外壁面に露出させて設けてある配管カバー設置構造があった（例えば、特許文献１参照）。
【先行技術文献】
【特許文献】
【０００３】
【特許文献１】特開２００２−２２８０４９号公報（図５）
【発明の概要】
【発明が解決しようとする課題】
【０００４】
上述した従来の配管カバー技術によれば、配管に対する保護効果や姿勢の維持効果、及び、美観性の向上効果を発揮できるメリットがあるものの、配管カバーそのものが外壁面から突出しているから、その分、建物外観の美観性が充分とまでは言えず、この点に未だ改良の余地があった。
【０００５】
また、これらの問題点を解消する案としては、配管カバーを壁の室内側の面に取り付けて、その中に空調配管を収容することが考えられる。この案によれば、配管に対する保護効果や姿勢の維持効果、及び、美観性の向上効果を発揮できると同時に、外壁面には配管カバーの存在が無くなるから建物外観上の美観性低下をも防止することが可能となる。
しかし、この案によれば、室内側に配管カバーが突出する状態に露出するから、違和感があると共に、部屋が狭く感じられ、室内美観性に悪影響を与える新たな問題点がある。
【０００６】
従って、本発明の目的は、上記問題点を解消し、配管カバーの長所を維持できながら、建物の内外の美観性を向上し得る配管カバー技術を提供するところにある。
【課題を解決するための手段】
【０００７】
本発明の第１の特徴構成は、配管収納空間を備えた溝形状の配管カバー本体と、前記配管カバー本体の溝開口部を塞ぐ蓋部材とを、係合連結可能に形成して配管カバーを構成し、前記蓋部材の外面が壁面を構成する状態で、前記配管カバーを壁に埋設してあるところにある。
【０００８】
本発明の第１の特徴構成によれば、配管カバーを、蓋部材の外面が壁面を構成する状態で壁に埋設してあるから、壁内のスペースを有効に利用して、配管を、保護しながら姿勢維持を図れる状態に敷設することが可能となる。
また、壁の室外側、室内側の何れにも、配管が突出しないように納めることが可能となり、建物の内外の美観性を良好に維持できるようになる。
更には、蓋部材の外面が壁面を構成することから、蓋部材を壁面外（例えば、室内側、又は、室外側）へ容易に取り外すことができ、配管カバー内部の配管収納空間にアクセスでき、配管設置作業や、配管取替作業等を簡単に実施できるようになる。
その結果、例えば、配管カバーの設置工程を先行させ、それ以後の都合の良い時期に配管カバー内部への配管工程を行うことが可能となり、作業工程の調整を容易に行うことができるようになる。
また、配管カバー本体は、壁によって隠蔽できるから、直射日光や風雨に曝されることによる耐久性の低下を防止できるようになる。特に、蓋部材が、壁の室内側に面するように配管カバーを設けてあれば、配管カバー本体のみならず、蓋部材に関しても直射日光や風雨に曝されることを防止でき、配管カバー全体とした耐久性の維持を図り易くなる。
【０００９】
本発明の第２の特徴構成は、前記壁の中での前記配管カバーの埋設深さを調整可能な埋設深さ調整手段が設けてあるところにある。
【００１０】
壁の厚みそのものは、規格等の差によって異なる値が設定されることがあり、それに伴って、壁の内空部の厚みも変化するから、結果的には、配管カバーの埋設深さも変化することになる。
本発明の第２の特徴構成によれば、埋設深さ調整手段によって配管カバーの埋設深さを調整することが可能となる。
従って、例えば、壁の厚み寸法の大きさに対応させて、配管カバーの埋設深さが適切な値になるように、埋設深さ調整手段によって調節することができる。
調整の例としては、配管作業が実施しやすい深さに配管カバーが位置するように調整したり、配管カバーの蓋部材の表面が、壁面と面一（又はほぼ面一）となるように調整することが挙げられる。
【００１１】
本発明の第３の特徴構成は、前記蓋部材の外面が、前記壁の表面と面一、又はほぼ面一となるように前記蓋部材を配置可能な表面合わせ手段が設けてあるところにある。
【００１２】
本発明の第３の特徴構成によれば、表面合わせ手段によって、蓋部材の外面が壁の表面と面一（又はほぼ面一）になるように配置することができる。その結果、蓋部材が壁面から引退したり突出するような納まりになることを防止でき、壁面の美観性の維持を図ることができる。
また、表面合わせ手段による上述の作用効果を、配管カバー本体ではなく、蓋部材の単体に対して発揮させる構成を採用すれば、壁の厚み寸法の大小や、配管カバー本体の埋設深さの大小に拘わらず実現することができる。その結果、配管カバーを深く設置して、配管カバー内の空間をより広く確保することも可能となる。
【００１３】
本発明の第４の特徴構成は、請求項１〜３のいずれか一項に記載の配管カバー設置構造に用いる配管カバーであって、
空調配管の配管収容空間を備えた溝形状の配管カバー本体と、前記配管カバー本体の溝開口部を塞ぐ蓋部材とを係合連結可能に備えた壁部配管カバーを設け、
前記壁部配管カバーの長手方向の一端部に、前記空調配管を前記配管収容空間から室内側へ導入する部分を覆う導入部配管カバーを設け、
前記壁部配管カバーの長手方向の他端部に、前記空調配管を前記配管収容空間から室外側へ導出する部分を覆う導出部配管カバーを設けてあるところにある。
【００１４】
本発明の第４の特徴構成によれば、空調配管を配管収容空間から室内へ導入する導入部から、配管収容空間から室外へ導出する導出部にかけて、壁の中に配管カバーを埋設することができ、埋設された配管カバーによって、壁内に設置される配管全体の保護と、姿勢の維持を図ることができる。そして、壁面に配管カバーが突出しないように設置できるから、建物の内外の美観性を向上させることができる。
また、壁によって配管カバーの隠蔽を図ることができ、例えば、直射日光や風雨に配管カバーが曝されることによる耐久性の低下を防止できるようになる。
【００１５】
本発明の第５の特徴構成は、前記導出部配管カバーは、室内側に開口する開口部を備えていると共に、前記開口部を塞ぐ導出部蓋部材を、着脱可能に設けてあるところにある。
【００１６】
本発明の第５の特徴構成によれば、導出部蓋部材を室内側から外して、導出部配管カバーの開口部を開くことができ、例えば、導出部配管カバーの内空部を、室内側から簡単に点検することが可能となる。
配管カバーの配置においては、導出部配管カバーが下方に配置されることが多いが、そのような場合は、導出部配管カバーの内部は、配管収容空間での結露水が滴下して溜まることがあり、溜まった水や汚れを拭き取る等のメンテナンスを行うのに、導出部蓋部材のみを外して簡単に作業することができる。
【図面の簡単な説明】
【００１７】
【図１】壁への配管カバーの埋設状況を示す縦断面図
【図２】壁への配管カバーの埋設状況を示す一部切欠き分解斜視図
【図３】配管カバーの分解斜視図
【図４】配管カバーの縦断面図
【図５】壁への配管カバーの埋設状況を示す平面視断面図
【図６】壁への配管カバーの埋設状況を示す平面視断面図
【図７】別実施形態の配管カバーの埋設状況を示す平面視断面図
【図８】別実施形態の配管カバーの埋設状況を示す平面視断面図
【図９】別実施形態の配管カバーの埋設状況を示す平面視断面図
【発明を実施するための形態】
【００１８】
以下に本発明の実施の形態を図面に基づいて説明する。
【００１９】
図１、図５は、本発明の配管カバーの一実施形態品（以後、単に配管カバー１という）を、壁Ｗに埋設してある状況を示している。
【００２０】
配管カバー１は、室内側に設置してある空調用室内機Ｍ１と、壁Ｗの室外側に設置してある空調用室外機Ｍ２とに亘って設けられる空調配管Ｐを覆う状態で設置されている。
【００２１】
空調用室内機Ｍ１は、室内の天井に近い部分に設置してあり、空調用室外機Ｍ２は、室外の地面付近に設置してある。
また、空調配管Ｐは、空調用室内機Ｍ１の裏面側の部分から壁Ｗの中に導入され、壁Ｗの中に縦に設置されている配管カバー１の配管収容空間Ｖを経由して、壁Ｗの下方部分から空調用室外機Ｍ２に導出される状態に配管されている。
【００２２】
前記壁Ｗは、室内側の内壁板Ｗ１と、室外側の外壁板Ｗ２とを所定の間隔をあけた状態に並設して構成されている。
内壁板Ｗ１には、図２、図３に示すように、配管カバー１が埋設される部分に所定幅で上下に長い切欠き部Ｗ１ａが設けてあり、その切欠き部Ｗ１ａに、配管カバー１が嵌る状態に設置されている。
そして、内壁板Ｗ１の壁面Ｗ１ｂと、配管カバー１の蓋部材１０（後述）の表面（外面に相当）１０ｂとは面一（又は、ほぼ面一）となるように配管カバー１は設置されている。従って、蓋部材１０の表面１０ｂは、内壁板Ｗ１の壁面Ｗ１ｂを構成している（図５参照）。
また、外壁板Ｗ２の裏面（室内側の面）には、配管カバー１を固定するのに使用できる複数の縦桟２が間隔をあけて固定されていると共に、それら複数の縦桟２に亘って上下間隔をあけて複数の横桟３が固定されている。
【００２３】
配管カバー１は、図１に示すように、空調室内機Ｍ１の裏面側で空調配管Ｐを壁Ｗの中に導入する部分（導入部４という）に設置される導入部配管カバー１Ａと、壁Ｗの下方部分から空調配管Ｐを空調用室外機Ｍ２に導出する部分（導出部５という）に設置される導出部配管カバー１Ｃと、導入部配管カバー１Ａと導出部配管カバー１Ｃとにわたって壁Ｗの中に埋設される壁部配管カバー１Ｂとを備えて構成してある。
【００２４】
導入部配管カバー１Ａは、図３、図４に示すように、配管収容空間Ｖを挟んで対向する一対の側板部６と、両側板部６の室外側の縁部６ａに亘る外板部７と、両側板部６の上縁部６ｂに亘る上板部８とを備えて構成してある。
当該実施形態においては、側板部６の室外側の上角部分は曲線で構成してあるから、側前記外板部７の上端側と、上板部８とは、側板部６の曲線に沿った連続曲面として構成されている。
【００２５】
両側板部６の室内側の縁部６ｃ間は、開口部１Ａａとして構成してあり、空調用室内機Ｍ１からの空調配管Ｐを挿通できるように構成してある。
一方、両側板部６の下縁部６ｄ間は、前記壁部配管カバー１Ｂの上端部を内嵌状態に嵌合可能な嵌合開口部１Ａｂとして構成してある。
また、外板部７の偏平部分の中央付近には、配管カバー固定用のネジ部材Ｎをねじ込み可能なネジ取付部７ａが設けてある。
【００２６】
ネジ取付部７ａは、配管収容空間Ｖ側に増厚して補強が図ってあり、カバー変形を抑制して、より高い固定強度を得られるように構成してある。更に、ネジ取付部７ａは、増厚によって、他部よりも配管収容空間Ｖ側に突出しているから、ネジ取付部７ａの周面は、前記嵌合開口部１Ａｂに内嵌させる壁部配管カバー１Ｂの上縁部に対する当たり止めとなり、相互の位置決め効果を叶えることもできる。
【００２７】
因みに、導入部配管カバー１Ａの壁Ｗへの固定は、予め、前記横桟３の室内側に固定された金属製のスペーサ（埋設深さ調整手段、表面合わせ手段Ｈの一例）Ｓに対して、前記ネジ取付部７ａを通してネジ部材Ｎ（例えば、タッピンネジ）を螺着することで実施することができる（図２参照）。
【００２８】
また、前記スペーサＳは、図５、図６に示すように、スペーサＳの壁Ｗ厚み方向の寸法Ｓ１を異ならせた複数種類のパーツとして用意しておけば、厚みが異なる壁Ｗ内に配管カバー１を設置する際に、適切な厚み方向の寸法のスペーサＳを選択して取り付けることで配管カバー１の壁Ｗ内での埋設深さを調整でき（埋設深さ調整手段の機能）、その結果、配管カバー１の室内側部分が、壁Ｗの表面と面一（又はほぼ面一）となるように容易に設置することができる（表面合わせ手段Ｈの機能）。
【００２９】
壁部配管カバー１Ｂは、図３〜５に示すように、溝形状の配管カバー本体９と、配管カバー本体９の溝開口部１Ｂａを塞ぐ蓋部材１０とを係合連結可能に備えて構成してある。
【００３０】
配管カバー本体９は、壁Ｗに埋設した状態を基準にして説明すると、配管収容空間Ｖとなる溝内空部を挟んで対向する一対の側板部１１と、両側板部１１の室外側の縁部１１ａに亘る外板部１２とを備えて構成してある。
両側板部１１の室内側の縁部１１ｂにおける対向部には、蓋部材１０との係合連結部となるリブ状の係合突条９ａが、配管カバー本体９の全長（又はほぼ全長）にわたって設けてある。
【００３１】
外板部１２には、幅方向の中央部に、配管カバー固定用のネジ部材Ｎをねじ込み可能なネジ取付部１２ａが、配管カバー本体９の全長（又はほぼ全長）にわたって設けてある。
ネジ取付部１２ａは、配管収容空間Ｖ側に膨出する形状に形成してあり、膨出形状による補強効果によって、配管カバー本体９の強化が図られている。
【００３２】
蓋部材１０は、壁Ｗに埋設した配管カバー本体９に取り付ける状態を基準にして説明すると、裏面（室外側の面）の両側縁部に、配管カバー本体９との係合連結部となる係合突条１０ａを、それぞれ室外側に突出する状態に形成してある。
係合突条１０ａが、配管カバー本体９の側板部１１間に進入するように蓋部材１０を配管カバー本体９に向けて押圧すると、係合突条１０ａが係合突条９ａを乗り越えて、弾性復元力の作用で両者の係合が完了する（図５参照）。
また、蓋部材１０を、強い力で配管カバー本体９から離間させると、係合突条１０ａの弾性変形によって係合を解除することができる。
【００３３】
また、蓋部材１０の幅寸法は、内壁板Ｗ１に形成された切欠き部Ｗ１ａの幅寸法に合わせて設定してあり、配管カバー本体９に蓋部材１０を係合させた状態においては、蓋部材１０と内壁板Ｗ１との目地に大きな隙間ができないように構成されている。
尚、蓋部材１０を設置した後、内壁板Ｗ１との目地には、図５に示すような断面「Ｔ」字形状の目地隠し部材１３を挿入してもよい。
また、蓋部材１０の表面１０ｂには、内壁板Ｗ１と同じクロスを貼り付けてあってもよく、その場合は、内壁板Ｗ１と蓋部材１０との意匠的な一体感が向上し、配管カバー１の存在を目立ち難くできる。
【００３４】
また、配管カバー本体９の室外側に、適切な厚み寸法（壁Ｗ厚み方向の寸法）のスペーサＳを設置してあることで、配管カバー本体９に取り付けた蓋部材１０の表面は、内壁板Ｗ１の表面と面一（又はほぼ面一）となり、壁Ｗの室内側の景観を、違和感のない自然な状態に維持することができる。尚、壁Ｗの室外側には、導入部配管カバー１Ａや、壁部配管カバー１Ｂが露出しないから、室内側と同様に景観を低下させることなく、自然な状態を維持できることは勿論のことである。
【００３５】
導出部配管カバー１Ｃは、図３、図４に示すように、壁Ｗに埋設した状態を基準にして説明すると、壁部配管カバー１Ｂの下端部を内嵌状態に嵌合可能な嵌合カバー部１４と、嵌合カバー部１４から室外側まで壁厚み方向に沿って連通する配管収容空間Ｖを形成するカバー筒部１５とを一体に備えて構成してある。
【００３６】
嵌合カバー部１４は、図３に示すように、配管収容空間Ｖを挟んで対向する一対の側板部１６と、両側板部１６の室外側の縁部１６ａに亘る外板部１７と、両側板部１６の下縁部１６ｂに亘る下板部１８とを一体に備えて構成してある。
外板部１７には、前記カバー筒部１５が連通状態に設けられている。
両側板部１６の室内側の縁部１６ｃ間は、開口部１Ｃａとして構成してあり、室内側から着脱操作が可能な蓋部材（導出部蓋部材に相当）１９が設けてある。
一方、両側板部１６の上縁部１６ｄ間は、前記壁部配管カバー１Ｂの下端部を内嵌状態に嵌合可能な嵌合開口部１Ｃｂとして構成してある。
【００３７】
両側板部１６の室内側の縁部１６ｃにおける対向部には、蓋部材１９との係合連結部となる係合突部１４ａが設けてある。
一方、蓋部材１９の対応部には、嵌合カバー部１４との係合連結部となる係合凹部１９ａが形成してあり、蓋部材１９を嵌合カバー部１４に押圧操作することで、係合突部１４ａと係合凹部１９ａとが係合して、蓋部材１９の取付状態を維持することができる。
蓋部材１９を個別に着脱可能に形成してあることで、蓋部材１９を外して、導出部配管カバー１Ｃの内空部を簡単に点検することが可能となる。
導出部配管カバー１Ｃの内部は、配管収容空間Ｖでの結露水が滴下して溜まることがあり、溜まった水や汚れを拭き取る等のメンテナンスを行う場合、前記蓋部材１９のみを外して、簡単に作業することができる。
因みに、導出部配管カバー１Ｃの下板部１８やカバー筒部１５に、例えば、吸水性ポリマーシート等の吸水材を敷いておけば、結露水を吸収させることができ、空調配管Ｐや配管カバー１が、溜まったままの結露水と触れて劣化するのを防止できると共に、溜まった水を頻繁に拭き取る等の手間をかけなくてよくなる。
【００３８】
また、蓋部材１９の上縁部には、配管収容空間Ｖ側に引退した段部１９ｂが形成してあり、この段部１９ｂの室内側に、前記壁部配管カバー１Ｂの蓋部材１０の下端部が重なる状態に位置させることができる。従って、上下に隣接する蓋部材１０の室内側の面と、蓋部材１９の室内側の面とは、面一（又は、ほぼ面一）となる。更には、蓋部材１９によって蓋部材１０の下端面を支持することが可能となっている。
【００３９】
また、下板部１８の室内側の縁部１８ａには、配管カバー固定用のネジ部材Ｎをねじ込み可能なネジ取付部１８ａが設けてある。このネジ取付部１８ａも、導入部配管カバー１Ａのネジ取付部７ａと同様に、増厚によって他部よりも突出させてあり、前記開口部１Ｃａに取り付ける蓋部材１９に対する当たり止めとなる。
【００４０】
カバー筒部１５は、当該実施形態では、円筒として構成してある。
カバー筒部１５の室外側の端部は、開口部１Ｃｃとして構成してある。
開口部１Ｃｃの室外側には、図１に示すように、配管収容空間Ｖから導出される空調配管Ｐを覆うカバー材２０を取り付けてもよい。
【００４１】
本実施形態の配管カバー技術によれば、壁Ｗの中のスペースを有効に利用して、空調配管Ｐを、保護しながら姿勢維持を図れる状態に敷設することが出来ることに加えて、建物の内外の美観性を良好に維持できる。
更には、配管カバー１が直射日光や風雨に曝されることを防止でき、配管カバー１全体とした耐久性の維持を図り易くなる。
また、壁Ｗの厚み寸法の大きさに対応させて、配管カバー１の埋設深さが適切な値になるように調節でき、蓋部材１０の表面が、壁面Ｗ１ｂと面一（又はほぼ面一）となるように調整することも可能となる。
そして、蓋部材１０，１９を取り外して、簡単に配管設置空間Ｖを使用する作業（配管の設置や撤去や取替、及び、清掃等の作業）を実施することができる。
【００４２】
〔別実施形態〕
以下に他の実施の形態を説明する。
【００４３】
〈１〉  配管カバー１、及び、その設置構造は、先の実施形態で説明した形態に限るものではなく、例えば、室内側の壁面Ｗ１ｂに蓋部材１０を設ける事に替えて、室外側の壁面に蓋部材１０を開閉可能に設けるものであってもよい。
〈２〉  配管カバー本体９と蓋部材１０との係合連結構造は、先の実施形態で説明したものに限るものではなく、例えば、図７に示すように、配管カバー本体９に備えた係合突条９ａと、壁Ｗの厚み方向に間隔をあけて蓋部材１０の裏面側に備えた複数の係合凹条１０ｃとからなる係合連結構造を採用するものであってもよい。
この実施形態によれば、係合突条９ａに係合させる係合凹条１０ｃを、複数の中から選択することで、配管カバー本体９に対する蓋部材１０の係合深さ（押し込み深さ）を変更でき、壁Ｗの厚みの異なるそれぞれの場合に対応できる。その結果、蓋部材１０が壁面Ｗ１ｂと面一（又はほぼ面一）となるように調整できる。更には、配管カバー本体９の埋設深さを深くすれば、配管カバー１内の配管収容空間Ｖをより広く確保することが可能となる。この場合、スペーサＳを設けない構造を採用することも可能となる。
前記係合突条９ａと係合凹条１０ｃとで、表面合わせ手段Ｈが構成されている。
〈３〉  また、表面合わせ手段Ｈは、上の別実施形態で説明したものに限るものではなく、例えば、図８に示すように、蓋部材１０に形成した配管カバー本体９への係合突条１０ａの基端部に形成した係合部２１で構成してあってもよい。
即ち、係合部２１は、内壁板Ｗ１の切欠き部Ｗ１ａの縁部に係合できるように構成してあり、内壁板Ｗ１と外壁板Ｗ２との間隔寸法の大小に拘わらず、内壁板Ｗ１との係合状態においては、常に、内壁板Ｗ１の壁面Ｗ１ｂと蓋部材１０の表面１０ｂとが面一（又はほぼ面一）となるように形成されている。
〈４〉  前記スペーサＳは、先の実施形態で説明したように、壁Ｗ厚み方向の寸法Ｓ１を異ならせた複数種類のパーツとして用意しておくものに替えて、例えば、図９に示すように、スペーサＳとして、壁Ｗ厚み方向の寸法Ｓ１を変更可能な寸法調整機構Ｋを備えさせたものであってもよい。図９の実施形態においては、スペーサＳは、配管カバー１が取り付く支持台Ｓａと、支持台Ｓａを固定側に取り付ける支持脚Ｓｂとを備えて構成してあり、支持台Ｓａと、支持脚Ｓｂとの固定位置を変更可能に形成することで、前記寸法調整機構Ｋが構成されている。
図９の実施形態においては、寸法調整機構Ｋは、支持台Ｓａと支持脚Ｓｂとを固定するネジ部材２２と、支持台Ｓａに形成されてネジ部材２２が螺合可能なネジ孔２３と、支持脚Ｓｂの対応部に形成されてネジ部材２２が挿通状態で壁Ｗ厚み方向に沿って移動自在な長穴２４とを備えて構成してある。従って、長穴２４の長手方向に沿って、支持台Ｓａと支持脚Ｓｂとの固定位置を任意に変更して両者を前記ネジ部材２２で固定することができる。
尚、寸法調整機構Ｋに、長穴２４を採用してあれば、前記壁Ｗ厚み方向の寸法Ｓ１の微調整が可能となるから、配管カバー１の表面合わせを行うことも可能となる。
因みに、寸法調整機構Ｋは、上述の長穴２４を使用して支持台Ｓａと支持脚Ｓｂとの固定位置の変更をできるようにした構成に限るものではなく、例えば、長穴２４に替えて、壁Ｗ厚み方向に間隔をあけて複数のネジ挿通孔を設けておき、その中から所定の固定位置となるネジ挿通孔を選択して支持台Ｓａと支持脚Ｓｂとを固定したり、又は、長穴２４やネジ挿通孔を設けることに替えて、ネジ部材２２そのものを、タッピンネジで構成して、支持台Ｓａと支持脚Ｓｂとの任意の重なり部分にネジ込むことで両者を固定できるように構成してあってもよい。
【００４４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４５】
１        配管カバー
１Ａ      導入部配管カバー
１Ｂ      壁部配管カバー
１Ｂａ    溝開口部
１Ｃ      導出部配管カバー
１Ｃａ    開口部
９        配管カバー本体
１０      蓋部材
１０ｂ    表面（外面に相当）
１９      蓋部材（導出部蓋部材に相当）
Ｈ        表面合わせ手段
Ｐ        空調配管
Ｓ        スペーサ（埋設深さ調整手段の一例）
Ｖ        配管収容空間
Ｗ        壁
Ｗ１ｂ    壁面
【図１】
2013164154.tif 000003
【図２】
2013164154.tif 000004
【図３】
2013164154.tif 000005
【図４】
2013164154.tif 000006
【図５】
2013164154.tif 000007
【図６】
2013164154.tif 000008
【図７】
2013164154.tif 000009
【図８】
2013164154.tif 000010
【図９】
2013164154.tif 000011